(57)【特許請求の範囲】
【請求項１】
湯水を貯湯する貯湯タンクを有する貯湯タンクユニットと、前記貯湯タンク下部から取り出した湯水を前記貯湯タンク上部に戻す加熱循環回路と、該加熱循環回路の途中に設けられ湯水を加熱する加熱手段と、前記加熱循環回路の途中に設けられ前記貯湯タンク内の湯水を前記加熱循環回路に循環させる加熱循環ポンプと、前記貯湯タンク内の湯水の温度を検出する貯湯温度検出手段と、外気温度を検出する外気温度検出手段と、前記貯湯タンク内の湯水を熱源として浴槽水を加熱する風呂熱交換器と、浴槽と前記風呂熱交換器とを接続した風呂循環回路と、該風呂循環回路に設けられ浴槽水を循環させる風呂循環ポンプと、浴槽水の有無を検出する検出手段と、これらの作動を制御する制御手段とを備え、前記制御手段は、前記外気温度検出手段で検出される外気温度が低く、かつ、前記貯湯温度検出手段で検出される湯水の温度が低いときに、前記加熱手段により前記貯湯タンク内の湯水を所定の目標沸上温度で沸き上げる凍結予防沸上運転を行わせるようにした貯湯式給湯風呂装置において、前記検出手段の検出する浴槽水の有無に基づいて、前記凍結予防沸上運転の運転条件としての前記所定の目標沸上温度、運転開始外気温度条件、運転開始貯湯温度条件、運転終了貯湯温度条件を設定する設定手段を設け、該設定手段は、前記検出手段が浴槽水ありを検出したときよりも、前記検出手段が浴槽水なしを検出したときの方が、前記凍結予防沸上運転の前記運転条件のうち少なくとも一つを凍結を回避する安全側に設定するようにしたことを特徴とする貯湯式給湯風呂装置。
【請求項２】
前記設定手段は、前記検出手段が浴槽水ありを検出したときよりも、前記検出手段が浴槽水なしを検出したときの方が、前記貯湯タンク内の湯水の熱量を増やすように前記凍結予防沸上運転の前記運転条件を設定するようにしたことを特徴とする請求項１記載の貯湯式給湯風呂装置。
【請求項３】
前記設定手段は、前記検出手段が浴槽水ありを検出したときよりも、前記検出手段が浴槽水なしを検出したときの方が、前記凍結予防沸上運転の運転開始を早めるように前記凍結予防沸上運転の前記運転条件を設定するようにしたことを特徴とする請求項１記載の貯湯式給湯風呂装置。
【請求項４】
前記設定手段は、前記検出手段が浴槽水ありを検出したときよりも、前記検出手段が浴槽水なしを検出したときの方が、前記所定の目標沸上温度が高くなるように前記運転条件を設定するようにしたことを特徴とする請求項２記載の貯湯式給湯風呂装置。
【請求項５】
前記貯湯温度検出手段は前記貯湯タンク側面の上下方向に複数個配置され、前記検出手段が浴槽水なしを検出したときに前記設定手段によって設定される前記凍結予防沸上運転の前記運転終了貯湯温度条件を判断する前記貯湯温度検出手段を、前記検出手段が浴槽水ありを検出したときに前記設定手段によって設定される前記凍結予防沸上運転の前記運転終了貯湯温度条件を判断する前記貯湯温度検出手段よりも下方に位置する前記貯湯温度検出手段としたことを特徴とする請求項２記載の貯湯式給湯風呂装置。
【請求項６】
前記検出手段が浴槽水なしを検出したときに前記設定手段によって設定される前記凍結予防沸上運転の前記運転開始外気温度条件を、前記検出手段が浴槽水ありを検出したときに前記設定手段によって設定される前記凍結予防沸上運転の前記運転開始外気温度条件よりも高い温度に設定するようにしたことを特徴とする請求項３記載の貯湯式給湯風呂装置。
【請求項７】
前記貯湯温度検出手段は前記貯湯タンク側面の上下方向に複数個配置され、前記検出手段が浴槽水なしを検出したときに前記設定手段によって設定される前記凍結予防沸上運転の前記運転開始貯湯温度条件を判断する前記貯湯温度検出手段を、前記検出手段が浴槽水ありを検出したときに前記設定手段によって設定される前記凍結予防沸上運転の前記運転開始貯湯温度条件を判断する前記貯湯温度検出手段よりも下方に位置する前記貯湯温度検出手段としたことを特徴とする請求項３記載の貯湯式給湯風呂装置。
【発明の詳細な説明】
【技術分野】
【０００１】
この発明は、貯湯式給湯風呂装置の凍結予防に関するものである。
【背景技術】
【０００２】
従来この種の貯湯式給湯風呂装置においては、浴槽水を循環させる風呂循環回路に、貯湯タンク内に設けられた風呂熱交換器を接続し、貯湯タンク内の温水を利用して浴槽水の追い焚きや保温をできるようにし、この風呂循環回路に風呂熱交換器をバイパスして浴槽水を循環させるバイパス管と流路切換手段を設け、冬季等に、外気温度センサで検出される外気温度が低く浴槽水が凍結するおそれがある場合、流路切換手段をバイパス管側に切り換え、風呂循環回路に設けられた風呂循環ポンプを駆動させて浴槽水を循環させることで、風呂循環回路の凍結を予防する風呂凍結予防運転を行うようにしたものがあった（特許文献１）。このものでは、風呂凍結予防運転の際、風呂循環回路を循環する浴槽水の放熱により、貯湯タンクユニット内の雰囲気温度が上昇するため、貯湯タンクユニット内の配管や主要部品に対する凍結予防にもなるものであった。
【０００３】
また、従来この種の貯湯式給湯風呂装置においては、冬季等に、外気温度センサで検出される外気温度が低く、かつ、貯湯温度センサで検出される貯湯タンク内の湯水の温度が低くなった場合に、貯湯タンク内の湯水を沸き上げる凍結予防沸上運転を行うものがあった（特許文献２）。このものでは、凍結予防沸上運転により貯湯タンク内に高温の湯を貯めることで、貯湯タンクユニット内の雰囲気温度が上昇するため、貯湯タンクユニット内の配管や主要部品の凍結を予防できるものであった。
【先行技術文献】
【特許文献】
【０００４】
【特許文献１】特開２００３−１４８８００号公報
【特許文献２】特開２００９−１５６４９５号公報
【発明の概要】
【発明が解決しようとする課題】
【０００５】
ところで、この従来の貯湯式給湯風呂装置は、風呂凍結予防運転を行う際、風呂循環回路に循環できるほど浴槽内に浴槽水が残っている場合と、風呂循環回路に循環できるほど浴槽内に浴槽水が残っていない場合とがあり、浴槽内に浴槽水が残っている場合は、上述したように、風呂循環回路を循環する浴槽水の放熱によって貯湯タンクユニット内の配管や主要部品の凍結を予防できるが、浴槽内に浴槽水が残っていない場合、風呂循環回路を循環する浴槽水の放熱を得られないので、浴槽内に浴槽水が残っている場合に比べて、貯湯タンクユニット内の配管や主要部品の凍結の危険性が増すものである。ここで、上述した凍結予防沸上運転は、凍結予防沸上運転用に設定された条件のもと実行され、風呂循環回路を循環する浴槽水が浴槽内に残っているか否かに関係ないものである。そうなると、風呂循環回路を循環する浴槽水がない場合には、貯湯タンクユニット内の配管や主要部品の凍結を予防するための処置としては、凍結予防沸上運転しかなく、風呂凍結予防運転分だけ不足するので、最悪の場合、貯湯タンクユニット内の配管や主要部品が凍結するおそれがあるという問題を有するものであった。
【課題を解決するための手段】
【０００６】
そこで、この発明は上記課題を解決するために、特に請求項１ではその構成を、湯水を貯湯する貯湯タンクを有する貯湯タンクユニットと、前記貯湯タンク下部から取り出した湯水を前記貯湯タンク上部に戻す加熱循環回路と、該加熱循環回路の途中に設けられ湯水を加熱する加熱手段と、前記加熱循環回路の途中に設けられ前記貯湯タンク内の湯水を前記加熱循環回路に循環させる加熱循環ポンプと、前記貯湯タンク内の湯水の温度を検出する貯湯温度検出手段と、外気温度を検出する外気温度検出手段と、前記貯湯タンク内の湯水を熱源として浴槽水を加熱する風呂熱交換器と、浴槽と前記風呂熱交換器とを接続した風呂循環回路と、該風呂循環回路に設けられ浴槽水を循環させる風呂循環ポンプと、浴槽水の有無を検出する検出手段と、これらの作動を制御する制御手段とを備え、前記制御手段は、前記外気温度検出手段で検出される外気温度が低く、かつ、前記貯湯温度検出手段で検出される湯水の温度が低いときに、前記加熱手段により前記貯湯タンク内の湯水を所定の目標沸上温度で沸き上げる凍結予防沸上運転を行わせるようにした貯湯式給湯風呂装置において、前記検出手段の検出する浴槽水の有無に基づいて、前記凍結予防沸上運転の運転条件としての前記所定の目標沸上温度、運転開始外気温度条件、運転開始貯湯温度条件、運転終了貯湯温度条件を設定する設定手段を設け、該設定手段は、前記検出手段が浴槽水ありを検出したときよりも、前記検出手段が浴槽水なしを検出したときの方が、前記凍結予防沸上運転の前記運転条件のうち少なくとも一つを凍結を回避する安全側に設定するものとした。
【０００７】
また、請求項２では、前記設定手段は、前記検出手段が浴槽水ありを検出したときよりも、前記検出手段が浴槽水なしを検出したときの方が、前記貯湯タンク内の湯水の熱量を増やすように前記凍結予防沸上運転の前記運転条件を設定するものとした。
【０００８】
また、請求項３では、前記設定手段は、前記検出手段が浴槽水ありを検出したときよりも、前記検出手段が浴槽水なしを検出したときの方が、前記凍結予防沸上運転の運転開始を早めるように前記凍結予防沸上運転の前記運転条件を設定するものとした。
【０００９】
また、請求項４では、前記設定手段は、前記検出手段が浴槽水ありを検出したときよりも、前記検出手段が浴槽水なしを検出したときの方が、前記所定の目標沸上温度が高くなるように前記運転条件を設定するものとした。
【００１０】
また、請求項５では、前記貯湯温度検出手段は前記貯湯タンク側面の上下方向に複数個配置され、前記検出手段が浴槽水なしを検出したときに前記設定手段によって設定される前記凍結予防沸上運転の前記運転終了貯湯温度条件を判断する前記貯湯温度検出手段を、前記検出手段が浴槽水ありを検出したときに前記設定手段によって設定される前記凍結予防沸上運転の前記運転終了貯湯温度条件を判断する前記貯湯温度検出手段よりも下方に位置する前記貯湯温度検出手段とするものとした。
【００１１】
また、請求項６では、前記検出手段が浴槽水なしを検出したときに前記設定手段によって設定される前記凍結予防沸上運転の前記運転開始外気温度条件を、前記検出手段が浴槽水ありを検出したときに前記設定手段によって設定される前記凍結予防沸上運転の前記運転開始外気温度条件よりも高い温度に設定するものとした。
【００１２】
また、請求項７では、前記貯湯温度検出手段は前記貯湯タンク側面の上下方向に複数個配置され、前記検出手段が浴槽水なしを検出したときに前記設定手段によって設定される前記凍結予防沸上運転の前記運転開始貯湯温度条件を判断する前記貯湯温度検出手段を、前記検出手段が浴槽水ありを検出したときに前記設定手段によって設定される前記凍結予防沸上運転の前記運転開始貯湯温度条件を判断する前記貯湯温度検出手段よりも下方に位置する前記貯湯温度検出手段とするものとした。
【発明の効果】
【００１３】
この発明の請求項１によれば、設定手段は、検出手段が浴槽水ありを検出したときよりも、検出手段が浴槽水なしを検出したときの方が、凍結予防沸上運転の運転条件のうち少なくとも一つ凍結を回避する安全側に設定するので、凍結予防沸上運転を行うことで、貯湯タンクユニット内の雰囲気温度が上昇し、確実に貯湯タンクユニット内の配管や主要部品に対する凍結を予防することができるものである。
【００１４】
また、請求項２によれば、設定手段は、検出手段が浴槽水ありを検出したときよりも、検出手段が浴槽水なしを検出したときの方が、貯湯タンク内の湯水の熱量を増やすように凍結予防沸上運転の運転条件を設定するので、浴槽水があるときに凍結予防に寄与する放熱分を、貯湯タンク内の湯水の熱量を増やすことで補うことができ、貯湯タンクユニット内の雰囲気温度が上昇し、貯湯タンクユニット内の配管や主要部品に対する凍結を予防することができるものである。
【００１５】
また、請求項３によれば、設定手段は、検出手段が浴槽水ありを検出したときよりも検出手段が浴槽水なしを検出したときの方が、凍結予防沸上運転の運転開始を早めるように凍結予防沸上運転の運転条件を設定することで、浴槽水なしの方が凍結予防沸上運転の開始が早くなるので、早めに貯湯タンクユニット内の雰囲気温度を上昇させて、貯湯タンクユニット内の配管や主要部品に対する凍結を予防することができるものである。
【００１６】
また、請求項４によれば、設定手段は、検出手段が浴槽水ありを検出したときよりも、検出手段が浴槽水なしを検出したときの方が、所定の目標沸上温度が高くなるように運転条件を設定するので、浴槽水があるときに凍結予防に寄与する放熱分を、目標沸上温度を高くして貯湯タンク内の湯水の熱量を増やすことで補うことができ、貯湯タンクユニット内の雰囲気温度が上昇し、貯湯タンクユニット内の配管や主要部品に対する凍結を予防することができるものである。
【００１７】
また、請求項５によれば、検出手段が浴槽水なしを検出したときに設定手段によって設定される凍結予防沸上運転の運転終了貯湯温度条件を判断する貯湯温度検出手段を、検出手段が浴槽水ありを検出したときに設定手段によって設定される凍結予防沸上運転の運転終了貯湯温度条件を判断する貯湯温度検出手段よりも下方に位置する貯湯温度検出手段としたので、検出手段が浴槽水なしを検出したときに設定手段によって設定される凍結予防沸上運転の方が貯湯タンク内の湯水の沸き上げ量が増え、浴槽水があるときに凍結予防に寄与する放熱分を、沸き上げ量を多くして貯湯タンク内の湯水の熱量を増やすことで補うことができ、貯湯タンクユニット内の雰囲気温度が上昇し、貯湯タンクユニット内の配管や主要部品に対する凍結を予防することができるものである。
【００１８】
また、請求項６によれば、検出手段が浴槽水なしを検出したときに設定手段によって設定される凍結予防沸上運転の運転開始外気温度条件を、検出手段が浴槽水ありを検出したときに設定手段によって設定される凍結予防沸上運転の運転開始外気温度条件よりも高い温度に設定したことで、貯湯タンク内の湯量が少ない状態となっているときに、検出手段が浴槽水なしを検出したときに設定手段によって設定される凍結予防沸上運転の方が凍結予防沸上運転の開始が早くなるので、早めに貯湯タンクユニット内の雰囲気温度を上昇させて、貯湯タンクユニット内の配管や主要部品に対する凍結を予防することができるものである。
【００１９】
また、請求項７によれば、検出手段が浴槽水なしを検出したときに設定手段によって設定される凍結予防沸上運転の運転開始貯湯温度条件を判断する貯湯温度検出手段を、検出手段が浴槽水ありを検出したときに設定手段によって設定される凍結予防沸上運転の運転開始貯湯温度条件を判断する貯湯温度検出手段よりも下方に位置する貯湯温度検出手段としたので、貯湯タンク内の湯水の温度分布から貯湯タンク内の下方に向かうほど貯湯されている湯水の温度は低く、運転開始貯湯温度条件が成立しやすい方向となり、検出手段が浴槽水なしを検出したときに設定手段によって設定される凍結予防沸上運転の方が凍結予防沸上運転の運転開始が早くなるので、早めに貯湯タンクユニット内の雰囲気温度を上昇させて、貯湯タンクユニット内の配管や主要部品に対する凍結を予防することができるものである。
【図面の簡単な説明】
【００２０】
【図１】この発明の貯湯式給湯風呂装置の一実施形態の概略構成図。
【図２】同一実施形態の風呂凍結予防運転の動作を示すフローチャート。
【図３】同一実施形態の浴槽水ありの場合の第１凍結予防沸上運転の動作を示すフローチャート。
【図４】同一実施形態の浴槽水なしの場合の第２凍結予防沸上運転の動作を示すフローチャート。
【図５】同一実施形態の浴槽水なしの場合の第３凍結予防沸上運転の動作を示すフローチャート。
【図６】同一実施形態の浴槽水なしの場合の第４凍結予防沸上運転の動作を示すフローチャート。
【図７】同一実施形態の浴槽水なしの場合の第５凍結予防沸上運転の動作を示すフローチャート。
【発明を実施するための形態】
【００２１】
次に、本発明の貯湯式給湯風呂装置の一実施形態について図１に基づき説明する。
１は湯水を貯湯する貯湯タンク２を有する貯湯タンクユニット、３は貯湯タンク２内の湯水を加熱する加熱手段としてのヒートポンプ式加熱手段であり、ヒートポンプ式加熱手段３は、冷媒を圧縮する圧縮機４と、圧縮機４から吐出された高温高圧の冷媒と水とを熱交換する凝縮器としての水冷媒熱交換器５と、水冷媒熱交換器５通過後の冷媒を減圧させる減圧器としての膨張弁６と、膨張弁６からの低温低圧の冷媒を蒸発させる蒸発器としての空気熱交換器７とを備え、空気熱交換器７で吸熱した冷媒を圧縮機４で圧縮して水冷媒熱交換器５を介して水を加熱するようにしている。また、８は外気温度を検出する外気温度検出手段としての外気温度センサ、９は圧縮機４等のアクチュエータを制御する制御手段としてのヒーポン制御部である。
【００２２】
１０は貯湯タンク２の下部と水冷媒熱交換器５の水流入口とを接続するヒーポン往き管、１１は水冷媒熱交換器５の水流出口と貯湯タンク２の上部とを接続するヒーポン戻り管で、貯湯タンク２と水冷媒熱交換器５の水側との間をヒーポン往き管１０およびヒーポン戻り管１１とで接続することで貯湯タンク２の下部から取り出した湯水を貯湯タンク２の上部へ戻す加熱循環回路１２を形成するものである。また、１３は加熱循環回路１２に設けられ、貯湯タンク２内の湯水を加熱循環回路１２に循環させる加熱循環ポンプである。
【００２３】
１４はヒーポン戻り管１１の途中から分岐したバイパス管で、このバイパス管１４はその一端がヒーポン戻り管１１の途中に流路切替手段としてのバイパス切替弁１５を介して接続され、他端が貯湯タンク２の下部に接続されている。ここで、水冷媒熱交換器５の水流出口と貯湯タンク２の上部とを結ぶヒーポン戻り管１１は、水冷媒熱交換器５の水流出口とバイパス切替弁１５とを結ぶヒーポン戻り管１１ａと、バイパス切替弁１５と貯湯タンク２の上部とを結ぶヒーポン戻り管１１ｂとから構成され、前記バイパス切替弁１５は、例えば電動式の三方弁からなり、前記ヒーポン戻り管１１を流通する湯水を貯湯タンク２の下部に戻すように貯湯タンク２下部側に切り替えた状態、すなわちヒーポン戻り管１１ａとバイパス管１４とを連通させる状態と、ヒーポン戻り管１１を流通する湯水を貯湯タンク２上部に戻すように貯湯タンク２上部側に切り替えた状態、すなわちヒーポン戻り管１１ａとヒーポン戻り管１１ｂとを連通させる状態とに設定可能なものである。なお、１６はヒーポン戻り管１１ａに設けられ、水冷媒熱交換器５で加熱された湯水の温度を検出する熱交出口温度検出手段としての熱交出口温度センサである。
【００２４】
１７は貯湯タンク２の下部に接続され貯湯タンク２に給水する給水管、１８は給水管１７の途中に設けられ給水圧を所定の圧力まで減圧する減圧弁、１９は貯湯タンク２の上部に接続され貯湯タンク２の上部から高温水を取り出す出湯管、２０は給水管１７から分岐した第１給水バイパス管、２１は出湯管１９からの高温の湯と第１給水バイパス管２０からの給水とを混合する電動ミキシング弁よりなる給湯混合弁、２２は給湯混合弁２１で混合された湯を所定の給湯箇所に設置された給湯栓２３に供給する給湯管である。
【００２５】
２４は貯湯タンク２内の湯水を熱源として浴槽２５の浴槽水を追い焚きするための蛇管よりなる風呂熱交換器、２６は風呂熱交換器２４と浴槽２５とを接続する風呂往き管２７および風呂戻り管２８からなる風呂循環回路、２９は風呂循環回路２６に設けられ浴槽水を循環させる風呂循環ポンプ、３０は風呂循環回路２６に設けられ、風呂循環回路２６での流水の有無を検出することで、風呂循環回路２６に循環できる浴槽水の有無、すなわち浴槽２５内に浴槽２５の循環口（図示せず）以上の残り湯の有無を検出する検出手段としての流水スイッチ、３１は風呂循環回路２６に設けられた浴槽水の温度を検出する風呂温度センサである。
【００２６】
３２は風呂往き管２７と風呂戻り管２８とを接続して風呂熱交換器２４をバイパスする風呂バイパス管、３３は風呂バイパス管３２と風呂循環回路２６との接続部に設けられ、風呂熱交換器２４側に浴槽水を流通させる状態と風呂熱交換器２４をバイパスして風呂バイパス管３２側に浴槽水を流通させる状態とに切り替え可能な電動三方弁よりなる風呂三方弁であり、この風呂三方弁３３は、浴槽２５内の浴槽水を追い焚きするときには、風呂熱交換器２４側に浴槽水を流通させる状態に切り替えられ、浴槽２５へ湯張りを行うとき、または、低外気温時に風呂循環回路２６の凍結を予防するため風呂循環ポンプ２９を駆動させて浴槽水を循環させる風呂凍結予防運転を行うときには、風呂熱交換器２４をバイパスして風呂バイパス管３２側に浴槽水を流通させる状態に切り替えられるものである。
【００２７】
３４は出湯管１９から分岐し貯湯タンク２上部から高温水を取り出す風呂出湯管、３５は第１給水バイパス管２０から分岐した第２給水バイパス管、３６は風呂出湯管３４からの高温の湯と第２給水バイパス管３５からの給水とを混合する電動ミキシング弁よりなる風呂混合弁、３７は風呂循環回路２６に接続され風呂混合弁３６で混合された湯を浴槽２５へ注湯する湯張り管、３８は湯張り管３７に設けられ浴槽２５への注湯の開始／停止を行う湯張り弁である。
【００２８】
３９は貯湯タンク２側面の上下方向に複数個配置された貯湯温度検出手段としての貯湯温度センサで、この実施形態では上から順に、貯湯温度センサ３９ａ、第１貯湯温度検出手段としての貯湯温度センサ３９ｂ、貯湯温度センサ３９ｃ、第２貯湯温度検出手段としての貯湯温度センサ３９ｄ、貯湯温度センサ３９ｅ、貯湯温度センサ３９ｆ、貯湯温度センサ３９ｇの７つが配置されているものであり、貯湯温度センサ３９が検出する湯水の温度情報によって、貯湯タンク２内にどれだけの熱量が残っているかを検知し、そして貯湯タンク２内の上下方向の温度分布を検知するものである。
【００２９】
４０はヒートポンプ式加熱手段３の駆動開始・停止制御や、貯湯タンクユニット１内の各センサの入力やリモコン（図示せず）の各種スイッチの入力を受けて各アクチュエータの作動を制御する制御手段としての貯湯制御部であり、ヒーポン制御部９と有線にて通信可能に接続されているものである。
【００３０】
前記貯湯制御部４０は、低外気温時に、風呂循環ポンプ２９を駆動させ風呂循環回路２６に浴槽水を循環させる風呂凍結予防運転や、低外気温時かつ貯湯タンク２内の湯温が低い場合に、圧縮機４および加熱循環ポンプ１３を駆動させ、水冷媒熱交換器５において冷媒と湯水との熱交換により貯湯タンク２内の湯水を所定の目標沸上温度に沸き上げ、高温の湯を貯湯タンク２に貯留することで、貯湯タンクユニット１内の配管や主要部品の凍結を予防する凍結予防沸上運転を行うものであり、貯湯制御部４０は前記凍結予防沸上運転の運転条件を設定する設定手段４１を備えているものである。
【００３１】
前記設定手段４１は、風呂循環回路２６に循環できる浴槽水の有無を検出する検出手段（ここでは流水スイッチ３０）で検出した浴槽水の有無に基づき、凍結予防沸上運転の運転条件として、目標沸上温度、運転開始外気温度条件、運転開始貯湯温度条件、運転終了貯湯温度条件を設定するものであり、検出手段が浴槽水ありを検出したときよりも浴槽水なしを検出したときの方が、凍結予防沸上運転の運転条件を凍結を回避する安全側に設定するものである。
【００３２】
なお、図１中の２点鎖線で囲まれた四角の枠内の配管（第１給水バイパス管２０や第２給水バイパス管３５等）や主要部品（風呂混合弁３６）は、他の配管や他の主要部品に比べて、低外気温時に凍結する可能性が高いものである。
【００３３】
次に、図１に示した一実施形態の貯湯式給湯風呂装置の動作を説明する。
まず、貯湯タンク２内の湯水をヒートポンプ式加熱手段３により所定の目標沸上温度に沸き上げる沸上運転について説明すると、時間帯別契約電力の電力単価が安価な深夜電力時間帯になって、貯湯温度センサ３９が貯湯タンク２内に翌日に必要な熱量が残ってないことを検出すると、深夜電力時間帯の所定の時刻において貯湯制御部４０はヒーポン制御部９に対して沸上運転開始を指示する。
【００３４】
そして、指示を受けたヒーポン制御部９は圧縮機４や加熱循環ポンプ１３を駆動させ、沸上運転を開始し、貯湯タンク２下部から供給される湯水を加熱して熱交出口温度センサ１６で検出される温度が所定の目標沸上温度になるようにするものである。ここで、熱交出口温度センサ１６で検出される温度が所定の目標沸上温度より低い場合は、バイパス切替弁１５はバイパス管１４側に切り替えた状態であり、貯湯タンク２下部から取り出された湯水は、ヒーポン往き管１０、水冷媒熱交換器５の水側、ヒーポン戻り管１１ａ、バイパス管１４を循環し、再び貯湯タンク２の下部に戻るものである。ここで、熱交出口温度センサ１６で検出される温度が所定の目標沸上温度に到達すると、バイパス切替弁１５をヒーポン戻り管１１ｂ側に切り替え、貯湯タンク２下部から取り出された湯水は、ヒーポン往き管１０、水冷媒熱交換器５の水側、ヒーポン戻り管１１ａ、ヒーポン戻り管１１ｂを循環し、貯湯タンク２上部に戻し、貯湯タンク２上部から順次積層して高温水を貯湯していく。そして、貯湯温度センサ３９が必要な熱量が貯湯タンク２内に貯湯されたことを検出すると、貯湯制御部４０はヒーポン制御部９に対して沸上運転停止を指示し、指示を受けたヒーポン制御部９は圧縮機４や加熱循環ポンプ１３の駆動を停止させ、沸上運転を終了するものである。
【００３５】
次に、風呂循環ポンプ２９を駆動させて風呂循環回路２６に浴槽水を循環させる風呂凍結予防運転の動作について、図２に示したフローチャートに基づき説明すると、貯湯制御部４０は外気温度センサ８の検出する外気温度が第１外気温度としての３℃より低いか否か判断し（ステップＳ１）、外気温度センサ８の検出する外気温度が３℃より低いと判断すると、風呂三方弁３３を風呂バイパス管３２側に切り替え（ステップＳ２）、風呂循環ポンプ２９を駆動させるものである（ステップＳ３）。
【００３６】
前記貯湯制御部４０は、前記ステップ３で風呂循環ポンプ２９を駆動させた後、流水スイッチ３０がＯＮしたか否か、すなわち、風呂循環回路２６に循環できる浴槽水があるか否かを判断し（ステップＳ４）、流水スイッチ３０がＯＮした、すなわち、浴槽２５内に浴槽２５の循環口（図示せず）以上の残り湯があり、風呂循環回路２６に循環できる浴槽水があると判断すると、風呂温度センサ３１の検出する浴槽水の温度が１０℃より高いか否か判断し（ステップＳ５）、風呂温度センサ３１の検出する浴槽水の温度が１０℃より高いと判断すると、浴槽水の凍結のおそれがないとして、風呂循環ポンプ２９を停止させ（ステップＳ６）、風呂凍結予防運転を終了するものである。また、前記ステップＳ５で、風呂温度センサ３１の検出する浴槽水の温度が１０℃以下であると判断すると、浴槽水の凍結のおそれがあるとして、風呂循環ポンプ２９の駆動を継続させステップＳ５の処理を繰り返すものである。なお、前記貯湯制御部４０は、前記ステップＳ４で流水スイッチ３０がＯＦＦである、すなわち、浴槽２５内に浴槽２５の循環口以上の残り湯がなく、風呂循環回路２６に循環できる浴槽水がないと判断すると、前記ステップＳ６の処理にとび、風呂循環ポンプ２９を停止させ（ステップＳ６）、風呂凍結予防運転を終了するものである。
【００３７】
上述した風呂凍結予防運転では、浴槽２５内に浴槽２５の循環口以上の残り湯があり、浴槽２５からの浴槽水を風呂戻り管２８から風呂バイパス管３２を介して風呂往き管２７に循環させ浴槽２５内に戻すことができる浴槽水がある場合、風呂循環ポンプ２９を駆動させて循環させた浴槽水により上記の循環経路の凍結を予防することができ、また、そのときの浴槽水の放熱により、貯湯タンクユニット１内の雰囲気温度が上昇するため、貯湯タンクユニット１内の配管や主要部品、特に、２点鎖線で囲まれた四角の枠内の配管や主要部品に対する凍結を予防することができるものである。
【００３８】
なお、前記ステップＳ４で、流水スイッチ３０がＯＮとなり流水ありを検出して、風呂循環回路２６に循環できる浴槽水があることを検出すると、浴槽水ありという情報に基づいて設定手段４１は前記凍結予防沸上運転の運転条件を設定すると共に、前記ステップＳ４で、流水スイッチ３０がＯＮとならずＯＦＦで流水なしを検出して、風呂循環回路２６に循環できる浴槽水がないことを検出すると、浴槽水なしという情報に基づいて設定手段４１は前記凍結予防沸上運転の運転条件を設定するものである。
【００３９】
次に、低外気温かつ貯湯タンク２内の湯温が低い場合に、圧縮機４および加熱循環ポンプ１３を駆動させて貯湯タンク２内の湯水を沸き上げ、高温の湯を貯湯タンク２に貯留し貯湯タンクユニット１内の配管や主要部品の凍結を予防する凍結予防沸上運転の動作について、図３に示したフローチャートに基づき第１凍結予防沸上運転について説明するが、この第１凍結予防沸上運転は、前記風呂凍結予防運転において、流水スイッチ３０がＯＮで流水ありを検出して、風呂循環回路２６に循環できる浴槽水があることを検出した結果に基づき、設定手段４１が設定した運転条件で行われる凍結予防沸上運転である。
【００４０】
前記第１凍結予防沸上運転では、設定手段４１により目標沸上温度が６５℃に設定され、凍結予防沸上運転の運転開始外気温度条件として、外気温度＜−５℃が設定され、運転開始貯湯温度条件として、貯湯温度センサ３９ｂの検出湯温＜４０℃が設定され、運転終了貯湯温度条件として、貯湯温度センサ３９ｂの検出湯温≧４５℃が設定されるものであり、貯湯制御部４０は、まず、目標沸上温度を６５℃とし（ステップＳ７）、外気温度センサ８で検出される外気温度が第２外気温度としての−５℃より低いか否か判断し（ステップＳ８）、外気温度が−５℃より低いと判断すると、貯湯温度センサ３９ｂで検出される温度が第１所定温度としての４０℃より低いか否か判断し（ステップＳ９）、貯湯温度センサ３９ｂで検出される温度が４０℃以上の場合は前記ステップＳ８の処理に戻り、貯湯温度センサ３９ｂで検出される温度が４０℃より低いと判断すると、圧縮機４を駆動させると共に加熱循環ポンプ１３を駆動させ（ステップＳ１０）、貯湯タンク２内の湯水の沸き上げを開始するものである。
【００４１】
貯湯タンク２内の湯水の沸き上げが開始されると、熱交出口温度センサ１６で検出される温度が目標沸上温度（ここでは６５℃）より低い場合は、バイパス切替弁１５はバイパス管１４側に切り替えた状態であり、沸き上げた湯水は貯湯タンク２の下部に戻され、熱交出口温度センサ１６で検出される温度が目標沸上温度に到達すると、バイパス切替弁１５をヒーポン戻り管１１ｂ側に切り替え、沸き上げた湯水を貯湯タンク２上部に戻し、貯湯タンク２上部から高温水を貯湯していくものである。
【００４２】
そして、貯湯制御部４０は、貯湯温度センサ３９ｂの検出する温度が第２所定温度としての４５℃以上であるか否かを判断し（ステップＳ１０）、貯湯温度センサ３９ｂの検出する温度が４５℃以上であると判断すると、圧縮機４を停止させると共に加熱循環ポンプ１３を停止させ、第１凍結予防沸上運転を終了するものである。
【００４３】
以上説明した第１凍結予防沸上運転によれば、貯湯タンク２内の湯水を沸き上げて貯湯タンク２内に高温の湯を貯めることで、貯湯タンクユニット１内の雰囲気温度が上昇するため、貯湯タンクユニット１内の配管や主要部品、特に、２点鎖線で囲まれた四角の枠内の配管や主要部品に対する凍結を予防することができるものである。
【００４４】
次に、図４に示したフローチャートに基づき第２凍結予防沸上運転について説明するが、この第２凍結予防沸上運転は、前記風呂凍結予防運転において、流水スイッチ３０がＯＦＦで流水なしを検出して、風呂循環回路２６に循環できる浴槽水がないことを検出した結果に基づいて設定手段４１が設定した運転条件で行われる凍結予防沸上運転である。
【００４５】
前記第２凍結予防沸上運転では、設定手段４１により目標沸上温度が８０℃に設定され、凍結予防沸上運転の運転開始外気温度条件として、外気温度＜−５℃が設定され、運転開始貯湯温度条件として、貯湯温度センサ３９ｂの検出湯温＜４０℃が設定され、運転終了貯湯温度条件として、貯湯温度センサ３９ｂの検出湯温≧４５℃が設定されるものであり、貯湯制御部４０は、まず、目標沸上温度を８０℃とし（ステップＳ１２）、外気温度センサ８で検出される外気温度が第２外気温度としての−５℃より低いか否か判断し（ステップＳ１３）、外気温度が−５℃より低いと判断すると、貯湯温度センサ３９ｂで検出される温度が第１所定温度としての４０℃より低いか否か判断し（ステップＳ１４）、貯湯温度センサ３９ｂで検出される温度が４０℃以上の場合は前記ステップＳ１３の処理に戻り、貯湯温度センサ３９ｂで検出される温度が４０℃より低いと判断すると、圧縮機４を駆動させると共に加熱循環ポンプ１３を駆動させ（ステップＳ１５）、貯湯タンク２内の湯水の沸き上げを開始するものである。
【００４６】
貯湯タンク２内の湯水の沸き上げが開始されると、熱交出口温度センサ１６で検出される温度が目標沸上温度（ここでは８０℃）より低い場合は、バイパス切替弁１５はバイパス管１４側に切り替えた状態であり、沸き上げた湯水は貯湯タンク２の下部に戻され、熱交出口温度センサ１６で検出される温度が目標沸上温度に到達すると、バイパス切替弁１５をヒーポン戻り管１１ｂ側に切り替え、沸き上げた湯水を貯湯タンク２上部に戻し、貯湯タンク２上部から高温水を貯湯していくものである。
【００４７】
そして、貯湯制御部４０は、貯湯温度センサ３９ｂの検出する温度が第２所定温度としての４５℃以上であるか否かを判断し（ステップＳ１６）、貯湯温度センサ３９ｂの検出する温度が４５℃以上であると判断すると、圧縮機４を停止させると共に加熱循環ポンプ１３を停止させ、第２凍結予防沸上運転を終了するものである。
【００４８】
以上説明した第２凍結予防沸上運転によれば、風呂循環回路２６に循環できる浴槽水なしの場合に設定手段４１によって設定される第２凍結予防沸上運転の目標沸上温度を、風呂循環回路２６に循環できる浴槽水ありの場合に設定手段４１によって設定される第１凍結予防沸上運転の目標沸上温度よりも高い温度に設定し、貯湯タンク２内の湯水の熱量を増やす方向で凍結を回避する安全側に条件が設定され、風呂循環回路２６に循環できる浴槽水があるときに風呂凍結予防運転で凍結予防に寄与する放熱分を、目標沸上温度を高くして貯湯タンク２内の湯水の熱量を増やすことで補うことができ、貯湯タンクユニット１内の雰囲気温度が上昇し、貯湯タンクユニット１内の配管や主要部品、特に、２点鎖線で囲まれた四角の枠内の配管や主要部品に対する凍結を予防することができるものである。
【００４９】
次に、図５に示したフローチャートに基づき第３凍結予防沸上運転について説明するが、この第３凍結予防沸上運転は、前記風呂凍結予防運転において、流水スイッチ３０がＯＦＦで流水なしを検出して、風呂循環回路２６に循環できる浴槽水がないことを検出した結果に基づいて設定手段４１が設定した運転条件で行われる凍結予防沸上運転であり、先に説明した第２凍結予防沸上運転とは別の動作を示した実施形態である。
【００５０】
前記第３凍結予防沸上運転では、設定手段４１により目標沸上温度が６５℃に設定され、凍結予防沸上運転の運転開始外気温度条件として、外気温度＜−５℃が設定され、運転開始貯湯温度条件として、貯湯温度センサ３９ｂの検出温度＜４０℃が設定され、運転終了貯湯温度条件として、貯湯温度センサ３９ｄの検出湯温≧４５℃が設定されるものであり、貯湯制御部４０は、まず、目標沸上温度を６５℃とし（ステップＳ１７）、外気温度センサ８で検出される外気温度が第２外気温度としての−５℃より低いか否か判断し（ステップＳ１８）、外気温度が−５℃より低いと判断すると、貯湯温度センサ３９ｂで検出される温度が第１所定温度としての４０℃より低いか否か判断し（ステップＳ１９）、貯湯温度センサ３９ｂで検出される温度が４０℃以上の場合は前記ステップＳ１８の処理に戻り、貯湯温度センサ３９ｂで検出される温度が４０℃より低いと判断すると、圧縮機４を駆動させると共に加熱循環ポンプ１３を駆動させ（ステップＳ２０）、貯湯タンク２内の湯水の沸き上げを開始するものである。
【００５１】
貯湯タンク２内の湯水の沸き上げが開始されると、熱交出口温度センサ１６で検出される温度が目標沸上温度（ここでは６５℃）より低い場合は、バイパス切替弁１５はバイパス管１４側に切り替えた状態であり、沸き上げた湯水は貯湯タンク２の下部に戻され、熱交出口温度センサ１６で検出される温度が目標沸上温度に到達すると、バイパス切替弁１５をヒーポン戻り管１１ｂ側に切り替え、沸き上げた湯水を貯湯タンク２上部に戻し、貯湯タンク２上部から高温水を貯湯していくものである。
【００５２】
そして、貯湯制御部４０は、貯湯温度センサ３９ｄの検出する温度が第２所定温度としての４５℃以上であるか否かを判断し（ステップＳ２１）、貯湯温度センサ３９ｄの検出する温度が４５℃以上であると判断すると、圧縮機４を停止させると共に加熱循環ポンプ１３を停止させ、第３凍結予防沸上運転を終了するものである。
【００５３】
以上説明した第３凍結予防沸上運転によれば、凍結予防沸上運転の運転終了貯湯温度条件の温度は、第２所定温度（ここでは４５℃）で変更せず、風呂循環回路２６に循環できる浴槽水なしの場合に設定手段４１によって設定される第３凍結予防沸上運転の運転終了貯湯温度条件を判断する貯湯温度センサ３９を、風呂循環回路２６に循環できる浴槽水ありの場合に設定手段４１によって設定される第１凍結予防沸上運転の運転終了貯湯温度条件を判断する第１貯湯温度検出手段としての貯湯温度センサ３９ｂよりも下方に位置する第２貯湯温度検出手段としての貯湯温度センサ３９ｄとしたことにより、第３凍結予防沸上運転の方が第１凍結予防沸上運転よりも貯湯タンク２内の湯水の沸き上げ量が増え、貯湯タンク２内の湯水の熱量を増やす方向で凍結を回避する安全側に条件が設定され、風呂循環回路２６に循環できる浴槽水があるときに風呂凍結予防運転で凍結予防に寄与する放熱分を、沸き上げ量を多くして貯湯タンク２内の湯水の熱量を増やすことで補うことができ、貯湯タンクユニット１内の雰囲気温度が上昇し、貯湯タンクユニット１内の配管や主要部品、特に、２点鎖線で囲まれた四角の枠内の配管や主要部品に対する凍結を予防することができるものである。
【００５４】
次に、図６に示したフローチャートに基づき第４凍結予防沸上運転について説明するが、この第４凍結予防沸上運転は、前記風呂凍結予防運転において、流水スイッチ３０がＯＦＦで流水なしを検出して、風呂循環回路２６に循環できる浴槽水がないことを検出した結果に基づいて設定手段４１が設定した運転条件で行われる凍結予防沸上運転であり、先に説明した第２凍結予防沸上運転および第３凍結予防沸上運転とは別の動作を示した実施形態である。
【００５５】
前記第４凍結予防沸上運転では、設定手段４１により目標沸上温度が６５℃に設定され、凍結予防沸上運転の運転開始外気温度条件として、外気温度＜−３℃が設定され、運転開始貯湯温度条件として、貯湯温度センサ３９ｂの検出温度＜４０℃が設定され、運転終了貯湯温度条件として、貯湯温度センサ３９ｂの検出湯温≧４５℃が設定されるものであり、貯湯制御部４０は、まず、目標沸上温度を６５℃とし（ステップＳ２２）、外気温度センサ８で検出される外気温度が第３外気温度としての−３℃より低いか否か判断し（ステップＳ２３）、外気温度が−３℃より低いと判断すると、貯湯温度センサ３９ｂで検出される温度が第１所定温度としての４０℃より低いか否か判断し（ステップＳ２４）、貯湯温度センサ３９ｂで検出される温度が４０℃以上の場合は前記ステップＳ２３の処理に戻り、貯湯温度センサ３９ｂで検出される温度が４０℃より低いと判断すると、圧縮機４を駆動させると共に加熱循環ポンプ１３を駆動させ（ステップＳ２５）、貯湯タンク２内の湯水の沸き上げを開始するものである。
【００５６】
貯湯タンク２内の湯水の沸き上げが開始されると、熱交出口温度センサ１６で検出される温度が目標沸上温度（ここでは６５℃）より低い場合は、バイパス切替弁１５はバイパス管１４側に切り替えた状態であり、沸き上げた湯水は貯湯タンク２の下部に戻され、熱交出口温度センサ１６で検出される温度が目標沸上温度に到達すると、バイパス切替弁１５をヒーポン戻り管１１ｂ側に切り替え、沸き上げた湯水を貯湯タンク２上部に戻し、貯湯タンク２上部から高温水を貯湯していくものである。
【００５７】
そして、貯湯制御部４０は、貯湯温度センサ３９ｂの検出する温度が第２所定温度としての４５℃以上であるか否かを判断し（ステップＳ２６）、貯湯温度センサ３９ｂの検出する温度が４５℃以上であると判断すると、圧縮機４を停止させると共に加熱循環ポンプ１３を停止させ、第４凍結予防沸上運転を終了するものである。
【００５８】
以上説明した第４凍結予防沸上運転によれば、風呂循環回路２６に循環できる浴槽水なしの場合に設定手段４１によって設定される第４凍結予防沸上運転の運転条件としての運転開始外気温度条件を、風呂循環回路２６に循環できる浴槽水ありの場合に設定手段４１で設定される第１凍結予防沸上運転の運転開始外気温度条件よりも高い温度に設定（第２外気温度＜第３外気温度）、すなわち凍結予防沸上運転の運転開始を早めるように設定したことで、貯湯タンク２内の湯量が少ない、すなわち貯湯温度センサ３９ｂで検出される温度が４０℃より低い状態となっているときに、第４凍結予防沸上運転の方が第１凍結予防沸上運転よりも凍結予防沸上運転の開始が早くなるので、凍結を回避する安全側に条件が設定され、早めに貯湯タンクユニット１内の雰囲気温度を上昇させて、貯湯タンクユニット１内の配管や主要部品、特に、２点鎖線で囲まれた四角の枠内の配管や主要部品に対する凍結を予防することができるものである。
【００５９】
次に、図７に示したフローチャートに基づき第５凍結予防沸上運転について説明するが、この第５凍結予防沸上運転は、前記風呂凍結予防運転において、流水スイッチ３０がＯＦＦで流水なしを検出して、風呂循環回路２６に循環できる浴槽水がないことを検出した結果に基づいて設定手段４１が設定した運転条件で行われる凍結予防沸上運転であり、先に説明した第２凍結予防沸上運転、第３凍結予防沸上運転、第４凍結予防沸上運転とは別の動作を示した実施形態である。
【００６０】
前記第５凍結予防沸上運転では、設定手段４１により目標沸上温度が６５℃に設定され、凍結予防沸上運転の運転開始外気温度条件として、外気温度＜−５℃が設定され、運転開始貯湯温度条件として、貯湯温度センサ３９ｄの検出温度＜４０℃が設定され、運転終了貯湯温度条件として、貯湯温度センサ３９ｄの検出温度≧４５℃が設定されるものであり、貯湯制御部４０は、まず、目標沸上温度を６５℃とし（ステップＳ２７）、外気温度センサ８で検出される外気温度が第２外気温度としての−５℃より低いか否か判断し（ステップＳ２８）、外気温度が−５℃より低いと判断すると、貯湯温度センサ３９ｄで検出される温度が第１所定温度としての４０℃より低いか否か判断し（ステップＳ２９）、貯湯温度センサ３９ｄで検出される温度が４０℃以上の場合は前記ステップＳ２８の処理に戻り、貯湯温度センサ３９ｄで検出される温度が４０℃より低いと判断すると、圧縮機４を駆動させると共に加熱循環ポンプ１３を駆動させ（ステップＳ３０）、貯湯タンク２内の湯水の沸き上げを開始するものである。
【００６１】
貯湯タンク２内の湯水の沸き上げが開始されると、熱交出口温度センサ１６で検出される温度が目標沸上温度（ここでは６５℃）より低い場合は、バイパス切替弁１５はバイパス管１４側に切り替えた状態であり、沸き上げた湯水は貯湯タンク２の下部に戻され、熱交出口温度センサ１６で検出される温度が目標沸上温度に到達すると、バイパス切替弁１５をヒーポン戻り管１１ｂ側に切り替え、沸き上げた湯水を貯湯タンク２上部に戻し、貯湯タンク２上部から高温水を貯湯していくものである。
【００６２】
そして、貯湯制御部４０は、貯湯温度センサ３９ｄの検出する温度が第２所定温度としての４５℃以上であるか否かを判断し（ステップＳ３１）、貯湯温度センサ３９ｄの検出する温度が４５℃以上であると判断すると、圧縮機４を停止させると共に加熱循環ポンプ１３を停止させ、第５凍結予防沸上運転を終了するものである。
【００６３】
以上説明した第５凍結予防沸上運転によれば、凍結予防沸上運転の運転開始貯湯温度条件の温度は、第１所定温度（ここでは４０℃）で変更せず、風呂循環回路２６に循環できる浴槽水なしの場合に設定手段４１によって設定される第５凍結予防沸上運転の運転開始貯湯温度条件を判断する貯湯温度センサ３９を、風呂循環回路２６に循環できる浴槽水ありの場合に設定手段４１によって設定される第１凍結予防沸上運転の運転開始貯湯温度条件を判断する第１貯湯温度検出手段としての貯湯温度センサ３９ｂよりも下方に位置する第２貯湯温度検出手段としての貯湯温度センサ３９ｄとしたことにより、貯湯タンク２内の湯水の温度分布から貯湯タンク２内の下方に向かうほど貯湯されている湯水の温度は低く、運転開始貯湯温度条件が成立しやすい方向となり、第５凍結予防沸上運転の運転開始貯湯温度条件が第１凍結予防沸上運転の運転開始貯湯温度条件よりも緩く設定、すなわち、凍結予防沸上運転の運転開始を早めるように凍結を回避する安全側に条件が設定され、第５凍結予防沸上運転の方が第１凍結予防沸上運転よりも凍結予防沸上運転の開始が早くなるので、早めに貯湯タンクユニット１内の雰囲気温度を上昇させて、貯湯タンクユニット１内の配管や主要部品、特に、２点鎖線で囲まれた四角の枠内の配管や主要部品に対する凍結を予防することができるものである。
【００６４】
なお、本発明は先に説明した一実施形態に限定されるものでなく、本実施形態では、風呂循環回路２６に循環できる浴槽水の有無を検出する検出手段として流水スイッチ３０を用いたが、風呂循環回路２６に検出手段としての水位センサを設け、水位センサにより浴槽水の水圧から浴槽２５内の浴槽水の水位を検出することで風呂循環回路２６に循環できる浴槽水の有無を検出するようにしてもよく、水位センサを用いる場合は、風呂凍結防止運転時に限らず、随時浴槽２５内の水位を監視して浴槽水の有無を検出するようにし、その結果に基づいて設定手段４１が凍結予防沸上運転の運転条件を設定するようにしてもよいものである。また、風呂循環ポンプ２９を駆動させてその回転数により、通常使用する回転数の範囲内であれば浴槽水あり、通常使用しない異常な高回転数であれば空回りしていると判断し浴槽水なしと検出するような検出手段を備え、風呂循環回路２６に循環できる浴槽水の有無を検出するようにしてもよいものであり、特に限定されるものではない。
【００６５】
また、本実施形態では、風呂凍結予防運転の運転開始外気温度条件（外気温度＜３℃）を、凍結予防沸上運転の運転開始外気温度条件（外気温度＜−５℃または外気温度＜−３℃）よりも緩い条件としているため、必ず風呂凍結予防運転が凍結予防沸上運転よりも先に運転が始まることになり、設定手段４１は確実に浴槽水の有無に基づいた凍結予防沸上運転の運転条件を設定できるものである。
【００６６】
また、本実施形態では、制御手段としてヒーポン制御部９と貯湯制御部４０の２つを備え、ヒーポン制御部９がヒートポンプ式加熱手段３側の制御を、貯湯制御部４０が貯湯タンクユニット１側の制御を行うものとしたが、ヒーポン制御部９と貯湯制御部４０とを１つの制御手段として、貯湯タンクユニット１側およびヒートポンプ式加熱手段３側の双方の制御を行うようにしてもよいものである。
【符号の説明】
【００６７】
１  貯湯タンクユニット
２  貯湯タンク
３  ヒートポンプ式加熱手段
８  外気温度センサ
９  ヒーポン制御部
１２  加熱循環回路
１３  加熱循環ポンプ
２４  風呂熱交換器
２５  浴槽
２６  風呂循環回路
２９  風呂循環ポンプ
３０  流水スイッチ
３９  貯湯温度センサ
４０  貯湯制御部
４１  設定手段
【図１】
0006045451.tif 000002
【図２】
0006045451.tif 000003
【図３】
0006045451.tif 000004
【図４】
0006045451.tif 000005
【図５】
0006045451.tif 000006
【図６】
0006045451.tif 000007
【図７】
0006045451.tif 000008